(57)【要約】      （修正有）【課題】ペンキ攪拌装置でペンキを攪拌する際に、当該ペンキ収容缶が連れ回されるのを防止するのに用いられるペンキ収容缶の載置固定具を提供する。【解決手段】このペンキ収容缶の載置固定具は、ペンキ収容缶Ｋを載置させて着脱手段３を介して着脱可能に構成した缶載置台２と、前記缶載置台２の下側に固設され当該缶載置台２を安定支持する少なくとも３本以上の支持脚４と、前記各支持脚４の下部に固設された滑り止め部材６とを備える。缶載置台２は平面視で矩形状に形成され、その四辺部は平坦な缶載置部２ａとその缶載置部２ａの外縁に沿う起立部２ｂとを縦断面視でＬ字状に形成される。着脱手段３は、缶載置台２の対向する起立部２ｂに付設された三点押圧ネジ３ａによりペンキ収容缶Ｋの下部側面を押圧固定する。【選択図】図１
0003155458.tif 000002
【実用新案登録請求の範囲】
【請求項１】
ペンキ収容缶（Ｋ）を載置させて着脱手段（３）を介して着脱可能に構成した缶載置台（２）と、前記缶載置台（２）の下側に固設され当該缶載置台（２）を安定支持する少なくとも３本以上の支持脚（４）と、前記各支持脚（４）の下部に固設された滑り止め部材（６）とを備える、ことを特徴とするペンキ収容缶の載置固定具。
【請求項２】
請求項１に記載したペンキ収容缶の載置固定具において、
前記缶載置台（２）は平面視で矩形状に形成され、その四辺部は平坦な缶載置部（２ａ）とその缶載置部（２ａ）の外縁に沿う起立部（２ｂ）とを縦断面視でＬ字状に形成し、前記着脱手段（３）は前記缶載置台（２）の対向する起立部（２ｂ）に付設された三点押圧ネジ（３ａ・３ｂ・３ｂ）によりペンキ収容缶Ｋの下部側面を押圧固定する構成とした、ことを特徴とするペンキ収容缶の載置固定具。
【考案の詳細な説明】
【技術分野】
【０００１】  本考案は、ペンキ攪拌装置でペンキを攪拌する際に、当該ペンキを収容した缶が連れ回されるのを防止するために用いられるペンキ収容缶の載置固定具に関するものである。
【背景技術】
【０００２】  異色ペンキを混合して目的の色合いのペンキを均質に調合する際に、ペンキ攪拌装置が用いられる。この種のペンキ攪拌装置は回転駆動シャフトの下端に攪拌羽根を供える。このペンキ攪拌装置を有するものとして、例えば特許文献１に示すもの（以下、「従来例」という）が知られている。この従来例は、ペンキを収容した缶の上部にペンキ攪拌装置の回転駆動シャフトを軸支する蓋体を被せ付けて構成されている。
【特許文献１】特開平５−１４７６６７号公報
【考案の開示】
【考案が解決しようとする課題】
【０００３】  上記従来例では、ペンキを収容した缶にペンキ攪拌装置の回転駆動シャフトを軸支する蓋体を被せ付けて構成されているが、以下のような不都合がある。
即ち、ペンキ攪拌装置の攪拌羽根でペンキを攪拌する際に、当該攪拌羽根の回転に伴い、ペンキの粘性により当該ペンキを収容した缶が連れ回される。そこで缶の連れ回しを防止するためには当該ペンキ収容缶を固定する手段が別途必要になる、という問題がある。【０００４】  本考案はこのような事情を考慮してなされたもので、前記従来例の蓋体を必要とせず、ペンキ攪拌装置でペンキを攪拌する際に、当該ペンキ収容缶が連れ回されるのを防止するのに用いられるペンキ収容缶の載置固定具を提供することをその目的とする。
【課題を解決するための手段】
【０００５】  本考案は前記課題を解決するものとして以下のように構成される。
即ち、本考案によれば、ペンキ収容缶Ｋを載置させて着脱手段３を介して着脱可能に構成した缶載置台２と、前記缶載置台２の下側に固設され当該缶載置台２を安定支持する少なくとも３本以上の支持脚４と、前記各支持脚４の下部に固設された滑り止め部材６とを備えることを特徴とする、ペンキ収容缶の載置固定具１が提供される。【０００６】  また、本考案の他の特徴は、上記特徴構成に以下の構成を付加したものである。
即ち、前記缶載置台２は、平面視で矩形状に形成され、その四辺部は平坦な缶載置部２ａとその缶載置部２ａの外縁に沿う起立部２ｂとを縦断面視でＬ字状に形成される。また、前記着脱手段３は、前記缶載置台２の対向する起立部２ｂに付設された三点押圧ネジ３ａ・３ｂ・３ｂによりペンキ収容缶Ｋの下部側面を押圧固定する構成とした、ことを特徴とするものである。
【考案の効果】
【０００７】  本考案によるペンキ収容缶の載置固定具１では、缶載置台２上にペンキ収容缶Ｋを載置し、着脱手段３でペンキ収容缶Ｋを缶載置台２上に着脱可能に固定する。上記缶載置台２は、その下側に固設された少なくとも３本以上の支持脚４で安定支持される。また、上記各支持脚４は、その下部に固設された摩擦係数の大きな滑り止め部材６によって強力に接地する。つまり、ペンキ攪拌装置Ｃでペンキを攪拌する際に、各支持脚４の滑り止め部材６が強力に接地して、当該ペンキ収容缶Ｋが連れ回されるのを強力に防止する。【０００８】  また、本考案の付加構成では、前記着脱手段３は、前記缶載置台２の対向する起立部２ｂ・２ｂに付設された三点押圧ネジ３ａ・３ｂ・３ｂにより構成され、この三点押圧ネジ３ａ・３ｂ・３ｂでペンキ収容缶Ｋの下部側面を押圧固定することにより、簡単な構成で当該ペンキ収容缶Ｋと載置固定具１とを一体に持ち運ぶことができるという利点がある。この点は例えば建築現場等において至便となる。
【考案を実施するための最良の形態】
【０００９】  以下、本考案の好ましい実施形態について添付図面を参照しながら詳細に説明する。尚、以下の実施形態では、技術的に好ましい種々の部材が付加されているが、本考案の技術的範囲は、以下の説明において特に限定する旨の記載がない限り、これらの態様に限られるものではない。【００１０】  図１は本考案の実施形態に係る載置固定具１にペンキ収容缶Ｋを載置固定した状態を示す斜視図、図２はその載置固定具１の平面図、図３は本考案の実施形態に係る滑り止め部材６を支持脚４の下部に固設した状態を示す要部の拡大縦断面図である。【００１１】  この載置固定具１は、図１〜図３に示すように、ペンキ収容缶Ｋ（具体的には平面視略正方形の１斗缶Ｋａ）を載置させて着脱手段３を介して着脱可能に構成した缶載置台２と、この缶載置台２の下側に溶接により固設され、当該缶載置台２を安定支持する四本の支持脚４と、各支持脚４の下部にそれぞれ着脱可能に固設された滑り止め部材６とから構成されている。【００１２】  上記缶載置台２は、平面視で略正方形に形成され、その四辺部は平坦な缶載置部２ａとその缶載置部２ａの外縁に沿う起立部２ｂとにより縦断面視でＬ字状に形成されている。また、前記着脱手段３は、前記缶載置台２の前後の対向する起立部２ｂ・２ｂにそれぞれ付設された三点押圧ネジ３ａ・３ｂ・３ｂによりペンキ収容缶Ｋａの下部の前後の側面を押圧固定するように構成されている。そして上記三点押圧ネジ３ａ・３ｂ・３ｂのうち、後方の押圧ネジ３ｂ・３ｂは後方の各起立部２ｂに袋ナットで固定され、前方の押圧ネジ３ａのみを締緩させてペンキ収容缶Ｋを着脱可能に載置することができる。なお、図１中の符号Ｊはペンキ収容缶Ｋａに付設した取手を示す。上記取手Ｊを持ってペンキ収容缶Ｋａと載置固定具１とを一体に持ち運びすることができる。これにより例えば建築現場等において至便となる。【００１３】  上記支持脚４はそれぞれ鋼管材より構成され、それらの各上端部は上記缶載置台２の四隅下面に溶接され、それらの各下端部は末広がり状に拡開されて当該缶載置台２を安定支持するように構成されている。図３に示すように、各支持脚４の下端部にはそれぞれナット部材５ａが溶接され、各ナット部材５ａにはネジ固定部材６ａに植設したネジ部６ｂが着脱可能にねじ込まれ、各ネジ固定部材６ａの下面には滑り止め部材６が固着されている。これにより上記支持脚４は摩擦係数の大きな滑り止め部材６により強力に接地する。つまり、攪拌装置Ｃでペンキを攪拌する際に、各支持脚４の滑り止め部材６が強力に接地して、当該ペンキ収容缶Ｋが連れ回されるのを強力に防止する。【００１４】  なお、上記の実施形態では、滑り止め部材６を介して各支持脚４を強力に接地させるものとして説明したが、その材料はゴム材には限らない。特に滑性のある地面等では接地部材を下端部が尖った硬質材料で構成するものでも差し支えない。つまり、地面や床面、或いは塗装面等の状態（滑性の有無等）により、適宜滑り止め部材を着脱・変更できるようにすることが望ましい。また、上記の実施形態では、缶載置台２に平面視略正方形のペンキ収容缶Ｋａを載置させるものについて例示したが、平面視略円形のペンキ収容缶Ｋｂを載置させるものでも差し支えない。その場合には、図２に示すように左右と後方の各起立部２ｂに切欠部２ｃを形成して当該略円形のペンキ収容缶Ｋｂと各起立部２ｂとの干渉を回避するように構成する。【００１５】  また、上記の実施形態では、缶載置台２に付設した着脱手段３として三点三点押圧ネジ３ａ・３ｂ・３ｂにより構成したものについて例示したが、ペンキ収容缶Ｋの下部側面を押圧固定するものであればよく、二点以上の押圧ネジで代替することができる。また、上記の実施形態では、四本の支持脚４で缶載置台２を支持するものについて例示したが、少なくとも３本以上の支持脚であれば差し支えない。缶載置台２を安定支持することができるからである。
【図面の簡単な説明】
【００１６】
【図１】本考案の実施形態に係る載置固定具にペンキ収容缶を載置固定した状態を示す斜視図である。
【図２】本考案の実施形態に係る載置固定具の平面図である。
【図３】本考案の実施形態に係る滑り止め部材を支持脚の下部に固設した状態を示す要部の拡大縦断面図である。
【符号の説明】
【００１７】１…ペンキ収容缶の載置固定具、２…缶載置台、２ａ…缶載置部、２ｂ…起立部、３…着脱手段、３ａ・３ｂ・３ｂ…三点押圧ネジ、４…支持脚、５ａ…ナット部材、５ｂ…ねじ固定部材、６…滑り止め部材、Ｃ…ペンキ攪拌装置、Ｆ…ペンキ攪拌装置の駆動回転方向、Ｋ…ペンキ収容缶、Ｋａ…平面視略正方形のペンキ収容缶、Ｋｂ…平面視略円形のペンキ収容缶。
【図１】
0003155458.tif 000003
【図２】
0003155458.tif 000004
【図３】
0003155458.tif 000005